(57)【要約】【課題】未使用の注射器の廃棄を抑制でき、ランニングコストを削減できる注射針の保護具を提供する。【解決手段】保護具１の保護カバー部１３は、ヒンジ部１１を介して取付部１０に取り付けられ、ヒンジ部１１は、第１姿勢と第２姿勢との間で回動し、保護カバー部１３は、ヒンジ部１１が第１姿勢にあるときに離間位置に位置し、ヒンジ部１１が第２姿勢にあるときに傾斜位置に位置する。可撓部１２は、保護カバー部１３とヒンジ部１１との間に設けられ、傾斜位置にある保護カバー部１３が保護位置側に押圧されたときに、弾性変形することにより、保護カバー部１３を傾斜位置から、注射針２１全体を保護する保護位置まで回動させる。【選択図】図９
2019198364.tif 000002
【特許請求の範囲】
【請求項１】
注射器又は注射針の所定部位に取り付けられる取付部と、
前記注射針から離間した離間位置と、当該離間位置よりも前記注射針に近接し、当該注射針に対して所定角度分、傾斜した傾斜位置と、前記注射針の少なくとも針先を含む所定部位を覆う保護位置との間で移動可能に構成された保護カバー部と、
当該保護カバー部と前記取付部の間に設けられ、前記保護カバー部を前記離間位置と前記傾斜位置との間で回動させるように構成されたヒンジ部と、
前記保護カバー部と前記取付部との間に設けられ、可撓性を有し、前記傾斜位置にある前記保護カバー部が前記保護位置側に押圧されたときに、弾性変形することにより、前記保護カバー部を前記傾斜位置から前記保護位置まで回動させるように構成された可撓部と、
を備えることを特徴とする注射針の保護具。
【請求項２】
前記保護カバー部と前記ヒンジ部の間を接続する接続部をさらに備え、
前記可撓部は、当該接続部の一部を切り欠いた切欠き部で構成されていることを特徴とする請求項１に記載の注射針の保護具。
【請求項３】
前記切欠き部は、前記所定角度で互いに離間しながら直線状に延びる２つの縁部を有し、当該２つの縁部は、前記保護カバー部が前記傾斜位置から前記保護位置に移動したときに互いに当接するように構成されていることを特徴とする請求項２に記載の注射針の保護具。
【請求項４】
前記ヒンジ部は、前記保護カバー部を前記離間位置に位置させる第１姿勢と前記保護カバー部を前記傾斜位置に位置させる第２姿勢との間で回動可能に構成されているとともに、第１ヒンジ要素と第２ヒンジ要素を備えており、
前記第１ヒンジ要素は、屈曲した形状で可撓性を有する屈曲端部と、当該屈曲端部からそれぞれ延び、前記第２ヒンジ要素の両端部にそれぞれ接続された２つの延設部とを有し、
前記第２ヒンジ要素は、弾性変形可能に構成され、
前記ヒンジ部が前記第１姿勢と前記第２姿勢との間で回動したときに、前記第２ヒンジ要素が弾性変形するとともに、前記第１ヒンジ要素の前記屈曲端部が、屈曲方向が逆向きになるように弾性変形しながら前記２つの延設部の前記第２ヒンジ要素との接続部を結んだ直線を横切って移動するように構成されていることを特徴とする請求項１ないし３のいずれかに記載の注射針の保護具。
【発明の詳細な説明】
【技術分野】
【０００１】
本発明は、使用後の注射器の注射針を保護するための注射針の保護具に関する。
【背景技術】
【０００２】
従来、注射針の保護具として特許文献１に記載されたものが知られている。この保護具は、ディスポーザブルタイプの注射器において、その使用後に注射針を保護するためのものである。保護具は、弾性を有する合成樹脂で構成され、取付部、ヒンジ構造及び保護カバー部などを一体に備えている。
【０００３】
この取付部は、注射針の基部に固定されている。保護カバー部は、注射針をカバーするためのものであり、ヒンジ構造を介して取付部に接続されている。このヒンジ構造により、保護カバー部は、シリンジに沿った状態で注射針を開放する開放位置と、注射針全体をカバーする保護位置との間で回動可能に構成されているとともに、開放位置から保護位置側に回動する際、ヒンジ構造によって保護位置側に付勢される。この保護カバー部は、注射器に取り付けられた場合、注射器の使用前には開放位置に、使用後には保護位置にそれぞれ位置している状態で使用される。
【０００４】
また、保護カバー部には、一方向ゲートバーが設けられており、注射針の使用後、保護カバー部が開放位置から保護位置に回動されたときには、注射針がこの一方向ゲートバーによって抜け止め状態で係止される。それにより、保護カバー部は保護位置に保持され、注射針は、保護カバー部によって全体を覆われた状態に保持される。
【先行技術文献】
【特許文献】
【０００５】
【特許文献１】特表２０１４−５２０５９０号公報
【発明の概要】
【発明が解決しようとする課題】
【０００６】
上記従来の注射針の保護具によれば、保護具が注射器に取り付けられている場合、注射器が未使用の状態では保護カバー部が開放位置に保持される。その状態で、予期しない荷重や衝撃力が保護カバー部に作用すると、保護カバー部が、ヒンジ構造によって保護位置側に付勢されながら、開放位置から保護位置まで回動してしまうおそれがある。その場合には、注射針が一方向ゲートバーによって抜け止め状態で係止されることにより、保護カバー部が保護位置に保持されるので、注射器が未使用であるにもかかわらず、注射器を使用できなくなってしまう。その結果、未使用の注射器を廃棄せざるを得ないことで、ランニングコストの上昇を招いてしまう。
【０００７】
本発明は、上記課題を解決するためになされたもので、未使用の注射器の廃棄を抑制でき、ランニングコストを削減できる注射針の保護具を提供することを目的とする。
【課題を解決するための手段】
【０００８】
上記目的を達成するために、本発明の注射針の保護具は、注射器又は注射針の所定部位に取り付けられる取付部と、注射針から離間した離間位置と、離間位置よりも注射針に近接し、注射針に対して所定角度分、傾斜した傾斜位置と、注射針の少なくとも針先を含む所定部位を覆う保護位置との間で移動可能に構成された保護カバー部と、保護カバー部と取付部との間に設けられ、保護カバー部を離間位置と傾斜位置との間で回動させるように構成されたヒンジ部と、保護カバー部と取付部との間に設けられ、可撓性を有し、傾斜位置にある保護カバー部が保護位置側に押圧されたときに、弾性変形することにより、保護カバー部を傾斜位置から保護位置まで回動させるように構成された可撓部と、を備えることを特徴とする。
【０００９】
この注射針の保護具によれば、取付部が注射器又は注射針の所定部位に取り付けられており、保護カバー部が離間位置と傾斜位置と保護位置との間で移動可能に構成されている。さらに、保護カバー部と取付部との間に設けられたヒンジ部が、保護カバー部を離間位置と傾斜位置との間で回動させるように構成され、傾斜位置にある保護カバー部が保護位置側に押圧されたときに、可撓部が、弾性変形することにより保護カバー部を傾斜位置から保護位置側に回動させるように構成されている。
【００１０】
以上により、保護具が未使用の注射器に取り付けられている場合、保護カバー部が離間位置にある状態で、何らかの力が一時的に作用し、保護カバー部が傾斜位置側に押圧されたときでも、ヒンジ部は、保護カバー部を傾斜位置までしか回動させないので、保護カバー部は傾斜位置から保護位置側にさらに押されない限り、傾斜位置に位置することになる。その結果、特許文献１の保護具と異なり、未使用の注射器が使用できなくなるのを抑制でき、未使用の注射器の廃棄を抑制できる。それにより、ランニングコストを削減できる。これに加えて、傾斜位置にある保護カバー部は、穿刺を実行するときや、穿刺後に注射を実行するときに邪魔になることがないので、これを傾斜位置から離間位置側に戻す動作が不要となることで、注射器の使用中の作業効率を向上させることができ、商品性を向上させることができる。
【００１１】
本発明において、保護カバー部とヒンジ部の間を接続する接続部をさらに備え、可撓部は、接続部の一部を切り欠いた切欠き部で構成されていることが好ましい。
【００１２】
この注射針の保護具によれば、可撓部が、接続部の一部を切り欠いた切欠き部で構成されているので、可撓部を低コストかつ容易に構成することができる。
【００１３】
本発明において、切欠き部は、所定角度で互いに離間しながら直線状に延びる２つの縁部を有し、２つの縁部は、保護カバー部が傾斜位置から保護位置に移動したときに互いに接するように構成されていることが好ましい。
【００１４】
この注射針の保護具によれば、切欠き部が、所定角度で互いに離間しながら直線状に延びる２つの縁部を有し、２つの縁部は、保護カバー部が傾斜位置から保護位置に移動したときに互いに当接するように構成されているので、保護カバー部で注射針を覆う際、保護カバー部が保護位置を超えて回動するのを抑制できる。
【００１５】
本発明において、ヒンジ部は、保護カバー部を離間位置に位置させる第１姿勢と保護カバー部を傾斜位置に位置させる第２姿勢との間で回動可能に構成されているとともに、第１ヒンジ要素と第２ヒンジ要素を備えており、第１ヒンジ要素は、屈曲した形状で可撓性を有する屈曲端部と、屈曲端部からそれぞれ延び、第２ヒンジ要素の両端部にそれぞれ接続された２つの延設部とを有し、第２ヒンジ要素は、弾性変形可能に構成され、ヒンジ部が第１姿勢と第２姿勢との間で回動したときに、第２ヒンジ要素が弾性変形するとともに、第１ヒンジ要素の屈曲端部が、屈曲方向が逆向きになるように弾性変形しながら２つの延設部の第２ヒンジ要素との接続部を結んだ直線を横切って移動するように構成されていることが好ましい。
【００１６】
この注射針の保護具によれば、ヒンジ部が第１姿勢と第２姿勢との間で回動したときに、第２ヒンジ要素が弾性変形するとともに、第１ヒンジ要素の屈曲端部が、屈曲方向が逆向きになるように弾性変形しながら２つの延設部の第２ヒンジ要素との接続部を結んだ直線を横切って移動するように構成されているので、ヒンジ部は、第１姿勢と第２姿勢の間で回動した際、外力を加えない限り、回動後の位置から回動前の位置に復帰することがない。それにより、保護カバー部を、離間位置及び傾斜位置の一方に保持することができる。同じ理由により、保護カバー部を押圧する際、屈曲端部が２つの端部を結んだ直線を横切って移動するときに、抵抗が急減する感覚やクリック感を付与することができる。
【図面の簡単な説明】
【００１７】
【図１】本発明の一実施形態に係る注射針の保護具及びこれを装着した注射器の構成を示す正面図である。
【図２】図１の注射器から針キャップをから外した状態を示す図である。
【図３】注射針の基部付近の構成を示す図である。
【図４】保護具の正面図である。
【図５】保護具の底面図である。
【図６】保護具の側面図である。
【図７】保護具のヒンジ部が第１姿勢にある状態を示す図である。
【図８】保護具のヒンジ部が第２姿勢にある状態を示す図である。
【図９】注射器に装着された保護カバー部が傾斜位置にある状態を示す図である。
【図１０】注射器に装着された保護カバー部が保護位置にある状態を示す図である。
【図１１】図１０のＡ−Ａ線断面図である。
【図１２】保護位置にある保護カバー部が注射針をカバーした状態を底面側から見た斜視図である。
【発明を実施するための形態】
【００１８】
以下、図面を参照しながら、本発明の一実施形態に係る注射針の保護具について説明する。本実施形態の保護具は、注射器の使用後において安全性を確保するために注射針を保護するものである。
【００１９】
図１に示すように、本実施形態の保護具１は、使用前の注射器２０に取り付けられるものであり、この注射器２０は、図２に示すように、注射針２１、シリンジ２２及びプランジャー２３を備えている。
【００２０】
注射針２１は、金属製の針管２１ａと合成樹脂製の基部２１ｂ（所定部位）で構成されており、この基部２１ｂは、中空に構成され、その先端部には針管２１ａが取り付けられている。この基部２１ｂの針管２１ａとの反対側の部位は、円筒部になっており、この円筒部の内孔には、シリンジ２２の先端部２２ａが圧入されている。それにより、注射針２１は、シリンジ２２に取り付けられている。
【００２１】
また、図３に示すように、基部２１ｂのシリンジ２２側の端部には、環状突起２１ｃが設けられており、この環状突起２１ｃは、基部２１ｂの外周面の全周に亘って形成されている。保護具１の後述する取付部１０は、その内周面が基部２１ｂ及びシリンジ２２の先端部２２ａの外周面に当接し、かつ環状突起２１ｃが取付部１０の後述する環状溝１０ｄに嵌合した状態で、基部２１ｂに取り付けられている。
【００２２】
さらに、図１に示すように、使用前の注射器２０の場合、針キャップ３０が注射針２１に取り付けられている。この針キャップ３０は、注射器２０の使用前及び使用準備時の安全性を確保するためのものであり、注射器２０を使用する際には、使用者によって注射針２１から取り外される。
【００２３】
一方、保護具１は、前述したように、注射器２０の使用後の安全性を確保するためのものであり、合成樹脂（例えばポリプロピレン）で構成されている。図４〜６に示すように、保護具１は、取付部１０、ヒンジ部１１、接続部１２及び保護カバー部１３を備えており、これらの構成要素１０〜１３は一体に形成されている。
【００２４】
取付部１０は、一対の半円筒部１０ａ，１０ａを備えており、半円筒部１０ａ，１０ａは円筒を２つ割りにした形状になっている。半円筒部１０ａ，１０ａは、両者の隣り合う先端部が薄肉のヒンジ部を介して接続されており、このヒンジ部を中心として、相対的に回動自在に構成されている。
【００２５】
一方の半円筒部１０ａには、一対の丸穴１０ｂ，１０ｂがヒンジ部と反対側の先端面に形成され、他方の半円筒部１０ａには、ヒンジ部と反対側の先端面における一対の丸穴１０ｂ，１０ｂと対応する位置に、一対の突起１０ｃ，１０ｃが設けられている（図５参照）。これら突起１０ｃ，１０ｃの各々は、丸穴１０ｂ，１０ｂの各々よりも若干、大径の円柱状に形成されている。さらに、半円筒部１０ａの外周面には、滑り止め用の突起が全周に亘って設けられている。
【００２６】
また、半円筒部１０ａの内面側の軸線方向の中央部には、断面矩形の環状溝１０ｄが形成されており、この環状溝１０ｄの断面は、前述した基部２１ｂの環状突起２１ｃが嵌合可能なサイズに設定されている。以上の構成により、取付部１０は、前述した注射針２１の基部２１ｂの環状突起２１ｃを半円筒部１０ａの環状溝１０ｄに嵌合させながら、上述した突起１０ｃ，１０ｃを丸穴１０ｂ，１０ｂに圧入させることにより、基部２１ｂに取り付けられている。
【００２７】
一方、ヒンジ部１１及び接続部１２は、取付部１０の軸線方向の一端部と保護カバー部１３の一端部との間に設けられており、ヒンジ部１１及び接続部１２を介して、取付部１０及び保護カバー部１３は互いに接続されている。
【００２８】
このヒンジ部１１は、外力が保護カバー部１３などに作用したときに、図７に示す第１姿勢と、図８に示す第２姿勢との間で回動する。ヒンジ部１１は、第１ベース部１１ａ、一対の第１ヒンジ要素１１Ｘ，１１Ｘ、第２ヒンジ要素１１Ｙ及び第２ベース１１ｂを備えており、これらの要素は互いに一体に構成されている。なお、以下のヒンジ部１１の説明では、図６の左右方向を「横方向」という。
【００２９】
第１ベース部１１ａは、板壁状に形成され、取付部１０の一端部から保護カバー部１３側に延びている。図６に示すように、第１ベース部１１ａは、保護カバー部１３側の部位の横方向の幅が、取付部１０側の部位よりも広くなり、第２ベース１１ｂと同じ幅になるように構成されている。また、第２ベース１１ｂも、板壁状に形成され、接続部１２側から取付部１０側に延びている。
【００３０】
一対の第１ヒンジ要素１１Ｘ，１１Ｘは、横方向に所定間隔で設けられ、横方向の外側の端面が第１ベース部１１ａ及び第２ベース１１ｂに対して面一に配置されている。第１ヒンジ要素１１Ｘ，１１Ｘの各々は、横方向に所定幅を有し、第１ベース部１１ａの横側の端部と第２ベース１１ｂの横側の端部との間に延びている。
【００３１】
各第１ヒンジ要素１１Ｘは、２つの延設部１１Ｘａ，１１Ｘｂ及び屈曲端部１１Ｘｃを備えており、延設部１１Ｘａは第１ベース部１１ａと屈曲端部１１Ｘｃとの間に延び、延設部１１Ｘｂは第１ベース部１１ｂと屈曲端部１１Ｘｃとの間に延びている。
【００３２】
屈曲端部１１Ｘｃは、２つの延設部１１Ｘａ，１１Ｘｂよりも薄肉に構成され、可撓性を有しているとともに、２つの延設部１１Ｘａ，１１Ｘｂに対して屈曲変形した状態で接続されている。
【００３３】
また、第２ヒンジ要素１１Ｙは、図６に示すように、一対の第１ヒンジ要素１１Ｘ，１１Ｘの間に配置されており、弾性変形可能に構成されている。第２ヒンジ要素１１Ｙは、２つの板壁部１１Ｙａ，１１Ｙｂを備えており、これらの２つの板壁部１１Ｙａ，１１Ｙｂは、一体に形成され、「く」字状の正面視形状を有している。板壁部１１Ｙａの一端部は、第１ベース部１１ａの先端部に接続され、板壁部１１Ｙｂの一端部は、第２ベース部１１ｂの先端部に接続されている。
【００３４】
次に、以上のように構成されたヒンジ部１１が図７に示す第１姿勢と図８に示す第２姿勢との間で回動する際の動作について説明する。例えば、ヒンジ部１１が図７に示す第１姿勢にある場合、第１ヒンジ要素１１Ｘの屈曲端部１１Ｘｃは、第１ヒンジ要素１１Ｘと第２ヒンジ要素１１Ｙの２つの接続中心点Ｐ１，Ｐ２（接続部）を結んだ直線Ｌを間にして、第２ヒンジ要素１１Ｙと反対側に位置する。
【００３５】
この第１姿勢にある状態で、外力により保護カバー部１３などが図７の矢印Ｙ１方向に押圧された場合、第１ヒンジ要素１１Ｘは、屈曲端部１１Ｘｃの屈曲方向が逆向きに変化するように、第２ヒンジ要素１１Ｙ側に移動する。それに伴い、第２ヒンジ要素１１Ｙは、２つの板壁部１１Ｙａ，１１Ｙｂの間の角度が大きくなるように弾性変形し、それに起因して、第１ヒンジ要素１１Ｘを押し戻そうとする付勢力が第１ヒンジ要素１１Ｘに作用する。
【００３６】
この付勢力に抗しながら、屈曲端部１１Ｘｃが２つの接続中心点Ｐ１，Ｐ２を結んだ直線Ｌを横切ると、それ以降、屈曲端部１１Ｘｃは、弾性変形状態から元に戻ろうとする第２ヒンジ要素１１Ｙの付勢力によって、図８に示す状態まで屈曲変形しながら移動する。それに伴い、第２ヒンジ要素１１Ｙは、接続中心点Ｐ１を中心として図中の時計回りに回動する。
【００３７】
そして、第２ヒンジ要素１１Ｙが図８に示す状態まで回動すると、肉厚の２つの延設部１１Ｘａ，１１Ｘｂが互いに当接した状態となることで、第１ヒンジ要素１１Ｘの移動及び第２ヒンジ要素１１Ｙの回動が終了し、ヒンジ部１１の第１姿勢から図８に示す第２姿勢への回動が終了する。ヒンジ部１１がこの第２姿勢にある場合には、何らかの外力が保護カバー部１３などに作用しない限り、第１ヒンジ要素１１Ｘは図８に示す状態に保持される。
【００３８】
一方、ヒンジ部１１が図８に示す第２姿勢にある場合において、外力により保護カバー部１３が図８の矢印Ｙ２方向に押圧された場合、屈曲端部１１Ｘｃは、上記とは逆に、第２ヒンジ要素１１Ｙの付勢力に抗しながら、第２ヒンジ要素１１Ｙから遠ざかるように移動する。そして、２つの接続中心点Ｐ１，Ｐ２を結んだ直線Ｌを横切った以降は、弾性変形状態から元に戻ろうとする第２ヒンジ要素１１Ｙの付勢力によって、屈曲端部１１Ｘｃは屈曲変形しながら図７に示す位置まで移動する。それに伴い、第２ヒンジ要素１１Ｙは、接続中心点Ｐ１を中心として図中の反時計回りに回動する。
【００３９】
以上により、ヒンジ部１１の第２姿勢から第１姿勢への回動が終了する。この状態では、第２ヒンジ要素１１Ｙの板壁部１１Ｙａ，１１Ｙｂの間の角度が元に戻っていることで、何らかの外力が保護カバー部１３などに作用しない限り、第１ヒンジ要素１１Ｘは図７に示す状態に保持される。以上のように、ヒンジ部１１は、図７に示す第１姿勢と図８に示す第２姿勢との間で回動する。
【００４０】
また、接続部１２は、ヒンジ部１１と保護カバー部１３の間に板壁状に延びており、その所定部位には、切欠き溝部１２ａが形成されている。この切欠き溝部１２ａは、接続部１２の第１ヒンジ要素１１Ｘ側の表面を「Ｖ」字の正面視形状に切り欠いたものであり、その両縁部の間の角度が所定値に設定されている。なお、本実施形態では、切欠き溝部１２ａが可撓部及び切欠き部に相当する。
【００４１】
さらに、接続部１２の切欠き溝部１２ａの底部は、他の部位よりも薄肉の薄肉部１２ｂになっている。以上の構成により、ヒンジ部１１が図８に示す第２姿勢にある状態で、外力により保護カバー部１３が図中の矢印Ｙ３方向に押された場合、接続部１２の薄肉部１２ｂが弾性変形することにより、切欠き溝部１２ａの両縁部が互いに近づくように移動し、それに伴って、保護カバー部１３が薄肉部１２ｂを中心として時計回りに回動する。
【００４２】
一方、保護カバー部１３は、ヒンジ部１１が図７に示す第１姿勢にあるときには図１，２に示す開放位置に、ヒンジ部１１が図８に示す第２姿勢にあるときには図９に示す傾斜位置にそれぞれ位置する。さらに、図９に示す傾斜位置にある状態では、保護カバー部１３は、注射針２１に対して所定角度分、傾斜した状態に保持され、その状態から注射針２１側に押されたときには、上述した接続部１２を弾性変形させながら、図１０に示す保護位置まで回動し、注射針２１全体をカバーする。
【００４３】
保護カバー部１３は、図６に示すように、天壁部１３ａと、この天壁部の両端に連続して延びる一対の側壁部１３ｂ，１３ｂとを備えており、天壁部１３ａは、平面視先細の細長い形状を有している（図５参照）。また、一対の側壁部１３ｂ，１３ｂは、互いに対向しながら延び、先端部に向かうほど、互いの間隔が狭くなるように構成されている。
【００４４】
図１２に示すように、保護カバー部１３の内面側には、一対のリブ１３ｃ，１３ｃを１組として２組のリブ１３ｃ，１３ｃが設けられており、これら２組のリブ１３ｃ，１３ｃは、保護カバー部１３の長手方向に互いに離間して配置されている。リブ１３ｃ，１３ｃの各々は、いずれも板状に形成されている。
【００４５】
１組のリブ１３ｃ，１３ｃは、天壁部１３ａ及び側壁部１３ｂ，１３ｂに連続してこれらに直交するように延びており、両者の内側の先端部間は所定幅の隙間になっている。保護カバー部１３が傾斜位置から保護位置に回動した際、注射針２１がリブ１３ｃ，１３ｃの隙間に嵌合し、それにより、注射針２１はリブ１３ｃ，１３ｃによって挟持される（図１２参照）。
【００４６】
また、一方の側壁部１３ｂには、２つの係止突起１３ｄ，１３ｄが設けられており、係止突起１３ｄ，１３ｄは、保護カバー部１３の長手方向に互いに離間して配置されている。各係止突起１３ｄは、可撓性を有しており、図１１に示すように、断面「レ」字状に形成されている。保護カバー部１３が傾斜位置から保護位置に回動した際、注射針２１が係止突起１３ｄを図１１の上側に弾性変形させながらこれを乗り越えて移動し、それにより、注射針２１は係止突起１３ｄに抜け止め状態で係止される（図１２参照）。
【００４７】
一方、側壁部１３ｂ，１３ｂの先端部間には、先端壁部１３ｅが延びており、保護カバー部１３が注射針２１全体をカバーした状態にあるときには、この先端壁部１３ｅによって、注射針２１の先端がカバーされた状態となる（図１２参照）。
【００４８】
以上のように、本実施形態の保護具１は、取付部１０を介して未使用の注射器２０に取り付けられ、保護カバー部１３がヒンジ部１１及び接続部１２を介して取付部１０に接続されている。このヒンジ部１１は、図７に示す第１姿勢と図８に示す第２姿勢との間で回動可能に構成されているので、このヒンジ部１１の回動に伴い、保護カバー部１３は、図２に示す離間位置と図９に示す傾斜位置との間で回動することになる。
【００４９】
したがって、保護具１が未使用の注射器２０に取り付けられ、保護カバー部１３が離間位置にある状態において、何らかの力が保護カバー部１３に一時的に作用し、保護カバー部１３が傾斜位置側に押圧されたときでも、ヒンジ部１１が、保護カバー部１３を傾斜位置に位置させる第２姿勢までしか回動しないので、保護カバー部１３は傾斜位置までしか回動せず、この傾斜位置に位置することになる。その結果、特許文献１の保護具と異なり、未使用の注射器２０が使用できなくなるのを抑制でき、未使用の注射器２０の廃棄を減らすことができるので、その分、ランニングコストを削減できる。
【００５０】
これに加えて、保護カバー部１３が傾斜位置にある状態では、注射針２１が保護カバー部１３によってカバーされないので、穿刺を実行するときや穿刺後に注射を実行するときに、保護カバー部１３が邪魔になることがない。それにより、保護カバー部１３を傾斜位置から離間位置側に戻す動作が不要となることで、注射器２０の使用中の作業効率を向上させることができ、商品性を向上させることができる。
【００５１】
また、ヒンジ部１１が第１姿勢と第２姿勢との間で回動したときに、第２ヒンジ要素１１Ｙが弾性変形するとともに、第１ヒンジ要素１１Ｘの屈曲端部１１Ｘｃが、屈曲方向が逆向きになるように弾性変形しながら、第１ヒンジ要素１１Ｘと第２ヒンジ要素１１Ｙの２つの接続中心点Ｐ１，Ｐ２を結んだ直線Ｌを横切って移動する。それにより、ヒンジ部１１は、第１姿勢と第２姿勢との間で回動した際、外力を加えない限り、回動後の位置から回動前の位置に復帰することがないので、保護カバー部１３を、離間位置及び傾斜位置の一方に保持することができる。同じ理由により、保護カバー部１３を押圧する際、屈曲端部１１Ｘｃが２つの端部を結んだ直線Ｌを横切って移動するときに、抵抗が急減する感覚やクリック感を付与することができる。
【００５２】
また、接続部１２には、切欠き溝部１２ａが形成されており、ヒンジ部１１が図８に示す第２姿勢にある状態で、保護カバー部１３が注射針２１側に押圧された場合、切欠き溝部１２ａの底部である薄肉部１２ｂが弾性変形することにより、切欠き溝部１２ａの両縁部が互いに近づくように移動する。それに伴って、保護カバー部１３が、傾斜位置から保護位置に回動することにより、注射針２１が保護カバー部１３の係止突起１３ｄに抜け止め状態で係止され、保護カバー部１３が保護位置に保持される。
【００５３】
その結果、保護カバー部１３によって注射針２１全体をカバーすることができ、使用後の注射針２１を安全に取り扱うことができる。また、保護カバー部１３が傾斜位置から保護位置まで回動したときに、切欠き溝部１２ａの両縁部が互いに当接した状態になるので、保護カバー部１３が保護位置を超えてさらに回動するのを抑制できる。
【００５４】
なお、実施形態は、「く」字状の正面視形状を有する第２ヒンジ要素１１Ｙを用いた例であるが、本発明の第２ヒンジ要素はこれに限らず、弾性変形可能に構成され、その両端部に第１ヒンジ要素の２つの延設部がそれぞれ接続されるものであればよい。例えば、第２ヒンジ要素を円弧状の正面視形状を有するものや、「コ」字状の正面視形状を有するものを用いてもよい。
【００５５】
また、実施形態は、取付部１０を注射針２１の基部２１ｂに取り付けた例であるが、本発明の取付部はこれに限らず、注射器又は注射針の所定部位に取り付けられるものであればよい。例えば、取付部を注射器のシリンジの先端部に取り付けてもよい。
【００５６】
さらに、実施形態は、保護カバー部１３が保護位置にあるときに注射針２１全体をカバーするように構成した例であるが、本発明の保護カバー部はこれに限らず、保護位置にあるときに注射針の少なくとも針先を含む所定部位を覆うことができるものであればよい。また、保護カバー部の形状は実施形態の保護カバー部１３の形状に限らず、様々な形状に構成してもよい。
【００５７】
一方、実施形態は、可撓部を接続部１２の一部を切り欠いた切欠き溝部１２ａとして構成した例であるが、本発明の可撓部はこれに限らず、保護カバー部と取付部との間に設けられ、可撓性を有し、傾斜位置にある保護カバー部が保護位置側に押圧されたときに、弾性変形することにより、保護カバー部を傾斜位置から保護位置側に回動させるものであればよい。例えば、可撓部を板状、壁状又は棒状に構成してもよい。また、可撓部をヒンジ部と取付部との間に設けてもよい。
【００５８】
また、実施形態は、切欠き部として、切欠き溝部１２ａを用いた例であるが、本発明の切欠き部はこれに限らず、接続部の一部を切り欠いたものであればよい。例えば、切欠き部として、その縁部が曲線状に形成されたものなどの、様々な形状のものを用いてもよい。
【００５９】
さらに、実施形態は、ヒンジ部として、ヒンジ部１１を用いた例であるが、本発明のヒンジ部はこれに限らず、保護カバー部を離間位置に位置させる第１姿勢と、保護カバー部を傾斜位置に位置させる第２姿勢との間で回動可能なものであればよい。 
【符号の説明】
【００６０】
１  保護具
１０  取付部
１１  ヒンジ部
１１Ｘ  第１ヒンジ要素
１１Ｘａ  延設部
１１Ｘｂ  延設部
１１Ｘｃ  屈曲端部
１１Ｙ  第２ヒンジ要素
１２  接続部
１２ａ  切欠き溝部（可撓部、切欠き部）
１２ｂ  薄肉部
１３  保護カバー部
２０  注射器
２１  注射針
２１ｂ  基部（所定部位）
Ｐ１  接続中心点（接続部）
Ｐ２  接続中心点（接続部）
Ｌ  直線
【図１】
2019198364.tif 000003
【図２】
2019198364.tif 000004
【図３】
2019198364.tif 000005
【図４】
2019198364.tif 000006
【図５】
2019198364.tif 000007
【図６】
2019198364.tif 000008
【図７】
2019198364.tif 000009
【図８】
2019198364.tif 000010
【図９】
2019198364.tif 000011
【図１０】
2019198364.tif 000012
【図１１】
2019198364.tif 000013
【図１２】
2019198364.tif 000014